(57)【要約】【課題】放電ユニットに安定して電力を供給することができる空気調和機を提供する。【解決手段】空気調和機は、放電ユニットと空気調和機本体とを備える。放電ユニットは、第１放電ユニット側接点６０を有し、第１放電ユニット側接点６０を介して放電電圧を供給されることによってプラズマを生起させ空気を清浄化する。空気調和機本体は、第１放電ユニット側接点６０と接触する第１本体側接点６４を有し、第１本体側接点６４および第１放電ユニット側接点６０を介して放電ユニットに放電電圧を供給する。そして、第１放電ユニット側接点６０と第１本体側接点６４との少なくとも一方は、弾性変形可能な第１凸状湾曲部６８を有し、他方に対して相対的に摺動し、弾性変形することによって他方に圧接し且つ線接触する。【選択図】図１０
2008030000.tif 000002
【特許請求の範囲】
【請求項１】
第１放電ユニット側接点（６０）を有し、前記第１放電ユニット側接点（６０）を介して放電電圧を供給されることによってプラズマを生起させ空気を清浄化する放電ユニット（６）と、
前記第１放電ユニット側接点（６０）と接触する第１本体側接点（６４）を有し、前記第１本体側接点（６４）および前記第１放電ユニット側接点（６０）を介して前記放電ユニット（６）に放電電圧を供給する空気調和機本体（３）と、
を備え、
前記第１放電ユニット側接点（６０）と前記第１本体側接点（６４）との少なくとも一方は、弾性変形可能な第１凸状湾曲部（６８）を有し、他方に対して相対的に摺動し、弾性変形することによって他方に圧接し且つ線接触する、
空気調和機（１）。
【請求項２】
前記第１放電ユニット側接点（６０）は、前記放電ユニット（６）の外面から突出しており、
前記放電ユニット（６）には、前記第１放電ユニット側接点（６０）に沿って前記放電ユニット（６）の外面から突出する保護部（５８）が形成されている、
請求項１に記載の空気調和機（１）。
【請求項３】
前記空気調和機本体（３）は、前記放電ユニット（６）が挿入されて収容される放電ユニット収容部（Ｂ）と、前記放電ユニット収容部（Ｂ）の内壁面から突出し前記放電ユニット（６）の出し入れ方向に沿って設けられたレール部（６３）とを有し、
前記保護部（５８）は、前記放電ユニット（６）が前記放電ユニット収容部（Ｂ）に挿入される際に前記レール部（６３）に対して摺動して前記放電ユニット（６）を案内する、
請求項２に記載の空気調和機（１）。
【請求項４】
前記空気調和機本体（３）は、前記放電ユニット（６）が挿入されて収容される放電ユニット収容部（Ｂ）と、前記第１本体側接点（６４）に対して前記放電ユニット（６）の出し入れ方向に距離を隔てて配置される第２本体側接点（６５）とをさらに有し、
前記放電ユニット（６）は、前記第１放電ユニット側接点（６０）に対して前記放電ユニット（６）の出し入れ方向に距離を隔てて配置される第２放電ユニット側接点（６２）をさらに有し、
前記第２放電ユニット側接点（６２）と前記第２本体側接点（６５）との少なくとも一方は、弾性変形可能な第２凸状湾曲部（７１）を有し、他方に対して相対的に摺動し、弾性変形することによって他方に圧接し且つ線接触する、
請求項１に記載の空気調和機（１）。
【請求項５】
前記放電ユニット（６）には、５０００Ｖ以上、１ｍＡ未満の電力が供給される、
請求項１から４のいずれかに記載の空気調和機（１）。
【発明の詳細な説明】
【技術分野】
【０００１】
本発明は空気調和機に関する。
【背景技術】
【０００２】
室内空気の清浄化を行うことができる空気調和機には、プラズマを生起させる放電ユニットを備えるものがあり、プラズマによって空気を清浄化することができる。放電ユニットは、放電電極と接地電極とを有し、放電電極と接地電極との間に放電電圧が印可されることにより、プラズマを生起させる（特許文献１参照）。
【０００３】
この放電ユニットには放電ユニット側接点が設けられ、放電ユニットが取り付けられる空気調和機本体には本体側接点が設けられ、これらの接点が接触することによって空気調和機本体から放電ユニットに放電電圧が供給される。
【特許文献１】特開２００６−０１４８４９号公報
【発明の開示】
【発明が解決しようとする課題】
【０００４】
上記のような放電ユニットにおいては、プラズマを安定的に生起させるためには、放電ユニットに安定して電力が供給されることが必要である。しかし、放電ユニット側接点や本体側接点の表面に酸化膜が生成したり、放電ユニット側接点と本体側接点との間にゴミなどの異物が噛み込んだりすることにより、接触不良が生じる恐れがある。このような場合、放電ユニットに安定して電力を供給することができず、プラズマを安定的に生起させることは困難である。
【０００５】
本発明の課題は、放電ユニットに安定して電力を供給することができる空気調和機を提供することにある。
【課題を解決するための手段】
【０００６】
第１発明に係る空気調和機は、放電ユニットと空気調和機本体とを備える。放電ユニットは、第１放電ユニット側接点を有し、第１放電ユニット側接点を介して放電電圧を供給されることによってプラズマを生起させ空気を清浄化する。空気調和機本体は、第１放電ユニット側接点と接触する第１本体側接点を有し、第１本体側接点および第１放電ユニット側接点を介して放電ユニットに放電電圧を供給する。そして、第１放電ユニット側接点と第１本体側接点との少なくとも一方は、弾性変形可能な第１凸状湾曲部を有し、他方に対して相対的に摺動し、弾性変形することによって他方に圧接し且つ線接触する。
【０００７】
この空気調和機では、第１放電ユニット側接点と第１本体側接点との少なくとも一方は、弾性変形可能な第１凸状湾曲部を有し、他方に対して相対的に摺動し、弾性変形することによって他方に圧接する。このため、第１放電ユニット側接点と第１本体側接点とが擦れ合い、各接点の表面から酸化膜や異物が除去される。そして、このような各接点の表面のクリーニングは、放電ユニットの空気調和機本体への装着が繰り返される度に自動的に行われる。これにより、この空気調和機では、接点での接触不良を低減することができ、放電ユニットに安定して電力を供給することができる。
【０００８】
また、この空気調和機では、第１放電ユニット側接点と第１本体側接点との少なくとも一方が他方に対して相対的に摺動するが、第１放電ユニット側接点と第１本体側接点とは線接触するため、カジリの発生を抑えることができる。これにより、放電ユニットの空気調和機本体への装着の際の操作力の増大を抑えることができ、放電ユニットの空気調和機本体への装着を容易にすることができる。
【０００９】
第２発明に係る空気調和機は、第１発明の空気調和機であって、第１放電ユニット側接点は、放電ユニットの外面から突出している。また、放電ユニットには、第１放電ユニット側接点に沿って放電ユニットの外面から突出する保護部が形成されている。
【００１０】
この空気調和機では、第１放電ユニット側接点に沿って保護部が設けられているため、使用者の手などが第１放電ユニット側接点に直接触れ難くなっており、怪我の発生を防止することができる。
【００１１】
第３発明に係る空気調和機は、第２発明の空気調和機であって、空気調和機本体は、放電ユニットが挿入されて収容される放電ユニット収容部と、放電ユニット収容部の内壁面から突出し放電ユニットの出し入れ方向に沿って設けられたレール部とを有する。また、保護部は、放電ユニットが放電ユニット収容部に挿入される際にレール部に対して摺動して放電ユニットを案内する。
【００１２】
この空気調和機では、放電ユニットが放電ユニット収容部に挿入される際に、保護部がレール部に対して摺動して放電ユニットを案内することができる。このため、放電ユニットの放電ユニット収容部への装着が容易になっている。
【００１３】
第４発明に係る空気調和機は、第１発明の空気調和機であって、空気調和機本体は、放電ユニットが挿入されて収容される放電ユニット収容部と、第１本体側接点に対して放電ユニットの出し入れ方向に距離を隔てて配置される第２本体側接点とをさらに有する。また、放電ユニットは、第１放電ユニット側接点に対して放電ユニットの出し入れ方向に距離を隔てて配置される第２放電ユニット側接点をさらに有する。そして、第２放電ユニット側接点と第２本体側接点との少なくとも一方は、弾性変形可能な第２凸状湾曲部を有し、他方に対して相対的に摺動し、弾性変形することによって他方に圧接し且つ線接触する。
【００１４】
この空気調和機では、第２放電ユニット側接点および第２本体側接点においても、放電ユニットの空気調和機本体への装着の際に、接点表面のクリーニングが自動的に行われる。これにより、この空気調和機では、接点での接触不良を低減することができ、放電ユニットに安定して電力を供給することができる。
【００１５】
第５発明に係る空気調和機は、第１発明から第４発明のいずれかの空気調和機であって、放電ユニットには、５０００Ｖ以上、１ｍＡ未満の電力が供給される。
【００１６】
この空気調和機では、プラズマを生起させるために、放電ユニットに５０００Ｖ以上、１ｍＡ未満の電力が供給されるが、接点を安定して接触させることができるため、このような高電圧の電力も安定して放電ユニットに供給することができる。
【発明の効果】
【００１７】
第１発明に係る空気調和機では、第１放電ユニット側接点と第１本体側接点とが擦れ合い、各接点の表面から酸化膜や異物が除去される。そして、このような各接点の表面のクリーニングは、放電ユニットの空気調和機本体への装着が繰り返される度に自動的に行われる。これにより、この空気調和機では、接点での接触不良を低減することができ、放電ユニットに安定して電力を供給することができる。
【００１８】
また、この空気調和機では、第１放電ユニット側接点と第１本体側接点とは線接触するため、カジリの発生を抑えることができ、放電ユニットの空気調和機本体への装着を容易にすることができる。
【００１９】
第２発明に係る空気調和機では、第１放電ユニット側接点に沿って保護部が設けられているため、使用者の手などが第１放電ユニット側接点に直接触れ難くなっており、怪我の発生を防止することができる。
【００２０】
第３発明に係る空気調和機では、放電ユニットが放電ユニット収容部に挿入される際に、保護部がレール部に対して摺動して放電ユニットを案内することができる。このため、放電ユニットの放電ユニット収容部への装着が容易になっている。
【００２１】
第４発明に係る空気調和機では、第２放電ユニット側接点および第２本体側接点においても、放電ユニットの空気調和機本体への装着の際に、接点表面のクリーニングが自動的に行われる。これにより、この空気調和機では、接点での接触不良を低減することができ、放電ユニットに安定して電力を供給することができる。
【００２２】
第５発明に係る空気調和機では、プラズマを生起させるために、放電ユニットに５０００Ｖ以上、１ｍＡ未満の電力が供給されるが、接点を安定して接触させることができるため、このような高電圧の電力も安定して放電ユニットに供給することができる。
【発明を実施するための最良の形態】
【００２３】
＜空気調和機１の全体構成＞
本発明の一実施形態にかかる空気調和機１を図１に示す。この空気調和機１は、室内の床に設置される床置き型の空気清浄機であり、室内の空気を内部に取り込み、清浄化して室内へと吹き出すことができる。この空気調和機１は、前面パネル２と空気調和機本体３とストリーマ放電ユニット６（図２および図３参照）とを備えている。前面パネル２は空気調和機本体３の前面を閉じている。空気調和機本体３の両側面前部には室内の空気を吸い込む吸込み口５が設けられている。また、空気調和機本体３の上面後部には吹出し口（図示せず）が設けられており、ストリーマ放電ユニット６を通って清浄化された空気は、空気調和機本体３の吹出し口から室内へと吹き出される。
【００２４】
次に、空気調和機１の基本構成について図２に基づいて説明する。なお、図２は、空気調和機１の内部の構成を空気の流れと共に示した模式図である。空気調和機本体３は、プレフィルタ４１、プラズマイオン化部４２、光触媒フィルタ４３、プラズマ触媒フィルタ４４、送風装置３０等を備えている。
【００２５】
プレフィルタ４１は、吸込み口５から吸い込まれた空気が最初に通過するフィルタであり、比較的大きなホコリや塵を空気中から除去する。プレフィルタ４１は、正面パネル２の後方に設けられており、後述するプラズマイオン化部４２の前面に取り付けられている。プレフィルタ４１は、ポリプロピレン（以下、ＰＰという）製の糸状の樹脂網からなるネットと、ネットを保持するフレームとから構成されている（図示せず）。プレフィルタ４１のネットを構成する繊維には、可視光線型の光触媒とカテキンとが空気側に露出するように担持されている。可視光線型の光触媒は、可視光線により光触媒作用が活性化される酸化チタン等を含んでおり、プレフィルタ４１に付着する塵埃などに含まれるカビ菌や細菌などの菌やウィルスを除去する。
【００２６】
プラズマイオン化部４２は、通過する空気中に含まれる塵埃等の微粒子を帯電させる装置であり、プレフィルタ４１の空気流れの下流側に位置している。
【００２７】
光触媒フィルタ４３は、プラズマイオン化部４２の空気流れの下流側に配置されたプリーツ状のフィルタであり、静電フィルタ４５およびチタンアパタイト担持フィルタを張り合わせて形成されている。なお、この光触媒フィルタ４３は、静電フィルタ４５が前側に、チタンアパタイト担持フィルタが後側に面するように配置されている。静電フィルタ４５は、プラズマイオン化部４２を通過する際に帯電させられた塵埃などを捕集する。チタンアパタイト担持フィルタは、静電フィルタ４５を通過した塵埃などを吸着する。このチタンアパタイト担持フィルタは、プレフィルタ４１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット６から供給される活性種により光触媒機能が活性化され、ウィルスやカビ菌、細菌などを不活化または死滅させる。なお、この光触媒フィルタ４３は、プリーツ状に形成されているため、折り目に合わせて容易に折り畳むことが可能である。このため、予備の光触媒フィルタ４３が、折り畳まれた状態で、空気調和機本体３の内部に設けられた交換用フィルタ収納部Ａに収納可能となっている（図３参照）。
【００２８】
プラズマ触媒フィルタ４４は、送風装置３０の送風ファン３１の前方であり、且つ、光触媒フィルタ４３の後方に配置されている。すなわち、プラズマ触媒フィルタ４４は、送風ファン３１と光触媒フィルタ４３との間に配置されている。プラズマ触媒フィルタ４４には、アナターゼ型の二酸化チタンが担持されている。プラズマ触媒フィルタ４４では、光触媒フィルタ４３に吸着されなかった空気中のウィルスや菌などを吸着する。このプラズマ触媒フィルタ４４では、吸着された菌やウィルスなどが活性種により活性化された二酸化チタンによって死滅あるいは不活化される。
【００２９】
送風装置３０は、吸込み口５から吸い込まれ、プレフィルタ４１、プラズマイオン化部４２、光触媒フィルタ４３、プラズマ触媒フィルタ４４を通って吹出し口から吹き出される空気の流れを生成する。送風装置３０は、送風ファン３１およびファンモータ３２を有する。送風ファン３１は、回転軸方向から空気を吸い込み、回転中心から半径方向外側に向かって空気を吹き出す遠心ファンである。ファンモータ３２は、インバータ回路により周波数制御されるインバータモータであり、図示しない制御部によって制御される。なお、送風装置３０によって生成された空気流の大部分は吹出し口に送られるが、そのうちの一部は本流から分岐してストリーマ放電ユニット６に送られる。
【００３０】
＜ストリーマ放電ユニット６の構成＞
ストリーマ放電ユニット６は、空気調和機本体３の放電ユニット収容部Ｂに前側から挿入されることによって、放電ユニット収容部Ｂに収容される（図３参照）。ストリーマ放電ユニット６は、放電ユニット収容部Ｂに対して出し入れ自在に取り付けられる。ストリーマ放電ユニット６は、空気調和機本体３から放電電圧を供給されることによりストリーマ放電を生起させ、活性種を生成することにより空気を清浄化することができる。ストリーマ放電ユニット６は、送風装置３０によって生成された空気流の本流が通る空気通路から分岐した空気通路中に設けられており、プレフィルタ４１、プラズマイオン化部４２、光触媒フィルタ４３、プラズマ触媒フィルタ４４を通過した後の清浄化された空気がストリーマ放電ユニット６に送られる。ストリーマ放電ユニット６を通り活性種を含んだ空気は、図示しないダクトによってプレフィルタ４１の上流側に戻され、プレフィルタ４１、プラズマイオン化部４２を通り、光触媒フィルタ４３に供給される。
【００３１】
以下、ストリーマ放電ユニット６の構成について詳細に説明する。
【００３２】
ストリーマ放電ユニット６は、前後方向すなわちストリーマ放電ユニット６の出し入れ方向に長い外形を有しており、空気調和機本体３の放電ユニット収容部Ｂに挿入されることにより、空気調和機本体３に取り付けられる。ストリーマ放電ユニット６は、図４〜７に示すように、放電電極１１および接地電極１２と、支持部材１３と、第１導電体１４および第２導電体１５とを有する。
【００３３】
〔放電電極１１および接地電極１２〕
放電電極１１および接地電極１２は、放電電圧を印可されることによってプラズマを生起させる金属製の板状部材であり、図４および図５に示すように、互いに平行に、且つ、水平方向に距離を隔てて対向して配置されている。また、放電電極１１および接地電極１２は、前後方向に細長い形状を有している。接地電極１２は放電電極１１よりも大きく、放電電極１１は側面視において接地電極１２に覆われている（図６参照）。
【００３４】
また、図５に示すように、放電電極１１の長手方向中間部分には、接地電極１２へ向けて突出する２つの突出部１６，１７が設けられている。なお、図５は、ストリーマ放電ユニット６の上面図である。これらの突出部１６，１７は、放電電極１１の長手方向すなわち前後方向に距離を隔てて配置されており、その先端部には細い針状部分が設けられている。この針状部分と接地電極１２との間の距離、すなわち、放電電極１１と接地電極１２との離間距離Ｄ１は、ストリーマ放電を生起させるために必要な程度の距離に設定されており、ストリーマ放電を安定的に生起させるために、その要求誤差範囲は１ｍｍ未満とされている。
【００３５】
〔支持部材１３〕
支持部材１３は、放電電極１１と接地電極１２とを支持する樹脂製の部材であり、本体部１８、第１放電電極支持部１９、第２放電電極支持部２０、第１接地電極支持部２１、第２接地電極支持部２２、把持部２３などを有している。
【００３６】
本体部１８は、概ねＬ字型の断面形状を有する部材であり、側面部２４と底面部２５とを有している。側面部２４は、放電電極１１および接地電極１２の側方に設けられており、放電電極１１および接地電極１２と対向している。側面部２４は、放電電極１１および接地電極１２に対して平行に配置されており、放電電極１１が側面部２４に近い位置に配置され、接地電極１２は、その外側に配置されている。底面部２５は、側面部２４の下端に垂直に繋がっており、放電電極１１および接地電極１２の下方を覆っている。また、底面部２５には、ストリーマ放電によって生じた活性種を含む空気が通過可能な複数の孔が設けられている。
【００３７】
第１放電電極支持部１９は、放電電極１１を支持する部分であり、本体部１８の側面部２４から側方に突出するように設けられている。第１放電電極支持部１９は、本体部１８から放電電極１１へ向けて直線的に延びた形状のボスであり、図８に示すように、放電電極１１を固定するためのネジ２６（図５参照）が通されるネジ穴２７が設けられている。また、第１放電電極支持部１９においてネジ穴２７の上方には、ネジ穴２７と平行に第１貫通孔２８が設けられている。第１貫通孔２８は、後述する第１導電体１４が通される孔であり、第１放電電極支持部１９および本体部１８の側面部２４を貫通している。
【００３８】
第２放電電極支持部２０は、第１放電電極支持部１９に対して前後方向に距離を隔てて配置されており、第１放電電極支持部１９と共に放電電極１１を支持する。第２放電電極支持部２０は、本体部１８の側面部２４から側方に突出するように設けられている。第２放電電極支持部２０は、本体部１８から放電電極１１へ向けて直線的に延びた形状のボスであり、第１放電電極支持部１９と同じ軸方向長さを有する。また、第２放電電極支持部２０には、放電電極１１を固定するためのネジ５１（図５参照）が通されるネジ穴５２が設けられている。
【００３９】
第１接地電極支持部２１は、接地電極１２を支持する部分であり、本体部１８の側面部２４から側方に突出するように設けられている。第１接地電極支持部２１は、本体部１８から接地電極１２へ向けて直線的に延びた形状のボスであり、本体部１８の側面部２４から第１放電電極支持部１９および第２放電電極支持部２０と同方向に延びている。第１接地電極支持部２１には、接地電極１２を固定するためのネジ５３（図４および図５参照）が通されるネジ穴５４が設けられている。また、第１接地電極支持部２１においてネジ穴５４の下方には、ネジ穴５４に平行に第２貫通孔５５が設けられている。第２貫通孔５５は、後述する第２導電体１５が通される孔であり、第１接地電極支持部２１および側面部２４を貫通している。なお、第１接地電極支持部２１は、第１放電電極支持部１９および第２放電電極支持部２０よりも大きな軸方向長さを有する。
【００４０】
第２接地電極支持部２２は、第１接地電極支持部２１に対して接地電極１２の前後方向に距離を隔てて配置されており、第１接地電極支持部２１と共に放電電極１１を支持する。第２接地電極支持部２２は、本体部１８の側面部２４から側方に突出するように設けられている。第２接地電極支持部２２は、本体部１８から接地電極１２へ向けて直線的に延びた形状のボスであり、第１接地電極支持部２１と同じ軸方向長さを有する。また、第２接地電極支持部２２には、放電電極１１を固定するためのネジ５６（図４および図５参照）が通されるネジ穴５７が設けられている。なお、図６に示すように、第２接地電極支持部２２は、第１接地電極支持部２１よりも僅かに高い位置に設けられている。
【００４１】
上述した第１放電電極支持部１９と第２放電電極支持部２０とは、前後方向において、第１接地電極支持部２１と第２接地電極支持部２２との間に設けられており、第１放電電極支持部１９が後側に設けられ、第２放電電極支持部２０が前側に設けられている。また、第１接地電極支持部２１と第２接地電極支持部２２とでは、第１接地電極支持部２１が前側に設けられており、第２接地電極支持部２２が後側に設けられている。このため、第１放電電極支持部１９と第１接地電極支持部２１との間の距離は、第１放電電極支持部１９と第２接地電極支持部２２との間の距離より大きく、且つ、第１接地電極支持部２１と第２放電電極支持部２０との間の距離より大きい。
【００４２】
また、図５および図７に示すように、本体部１８の側面部２４には、上記の第１放電電極支持部１９、第２放電電極支持部２０、第１接地電極支持部２１、第２接地電極支持部２２が設けられている側とは反対側の表面（以下、「側面部２４の外面６１」と呼ぶ）から突出する板状の第１保護部５８および第２保護部５９が設けられている。第１保護部５８は、後述する第１放電ユニット側接点６０に沿って側面部２４の外面６１から突出しており、第１放電ユニット側接点６０を保護する。第２保護部５９は、第１保護部５８に対して前後方向に距離を隔てて配置されており、第１保護部５８よりも前側であり且つ低い位置に配置されている。第２保護部５９は、後述する第２放電ユニット側接点６２に沿って放電ユニットの外面６１から突出しており、第２放電ユニット側接点６２を保護する。これらの第１保護部５８および第２保護部５９は、各接点６０，６２を保護すると共に、ストリーマ放電ユニット６が放電ユニット収容部Ｂに挿入される際に、空気調和機本体３に設けられたレール部６３（図９参照）に対して摺動してストリーマ放電ユニット６を案内する機能を兼ねている。
【００４３】
把持部２３は、本体部１８の前面に取り付けられており、ストリーマ放電ユニット６の出し入れを行う際に把持される部分である。
【００４４】
〔第１導電体１４および第２導電体１５〕
図５に示す第１導電体１４は、金属製の細長い板状部材であり、第１貫通孔２８に通されることにより、第１放電電極支持部１９の内部に設けられる。第１導電体１４の一端は放電電極１１に接触し、他端は側面部２４の外面６１から突出している。第１導電体１４のうち側面部２４の外面６１から外方に突出している部分は、後述する空気調和機本体３に設けられた第１本体側接点６４と接触する第１放電ユニット側接点６０となっている。ストリーマ放電ユニット６が空気調和機本体３に取り付けられると、第１放電ユニット側接点６０は、第１本体側接点６４と接触して、第１本体側接点６４と放電電極１１とを電気的に接続する。なお、上述した第１保護部５８は、第１放電ユニット側接点６０の先端よりも僅かに外方に突出している。図７に示すように、第１放電ユニット側接点６０は第１保護部５８の下方に位置しており、第１放電ユニット側接点６０の上面は第１保護部５８の下面と接触している。また、第１放電ユニット側接点６０の下面は下方に凸の円弧状の断面形状を有している。
【００４５】
第２導電体１５は、金属製の細長い板状部材であり、第２貫通孔５５に通されることにより、第１接地電極支持部２１の内部に設けられる。第２導電体１５の一端は接地電極１２に接触し、他端は側面部２４の外面６１から突出している。第２導電体１５のうち側面部２４の外面６１から外方に突出している部分は、後述する空気調和機本体３に設けられた第２本体側接点６５と接触する第２放電ユニット側接点６２となっている。ストリーマ放電ユニット６が空気調和機本体３に取り付けられると、第２放電ユニット側接点６２は、第２本体側接点６５と接触して、第２本体側接点６５と接地電極１２とを電気的に接続する。また、第２放電ユニット側接点６２は、第１放電ユニット側接点６０に対して前後方向すなわちストリーマ放電ユニット６の出し入れ方向に距離を隔てて配置されており、第１放電ユニット側接点６０が後側、第２放電ユニット側接点６２が前側に配置されている。なお、上述した第２保護部５９は、第２放電ユニット側接点６２の先端よりも僅かに外方に突出している。第２放電ユニット側接点６２は第２保護部５９の上方に位置しており、第２放電ユニット側接点６２の下面は、第２保護部５９の上面と接触している。また、第２放電ユニット側接点６２の上面は上方に凸の円弧状の断面形状を有している（図７および図１１参照）。
【００４６】
＜放電ユニット収容部Ｂの構成＞
次に、空気調和機本体３の放電ユニット収容部Ｂの構成について説明する。放電ユニット収容部Ｂは、図９に示すように、空気調和機本体３の前面から後方へ陥入した長方形断面形状の孔であり、ストリーマ放電ユニット６が挿入されて収容される。図１０に示すように、放電ユニット収容部Ｂの内壁面には、第１本体側接点６４と、第２本体側接点６５と、レール部６３とが形成されている。
【００４７】
〔第１本体側接点６４および第２本体側接点６５〕
第１本体側接点６４は、第１放電ユニット側接点６０と接触する接点であり、空気調和機本体３は、電源回路から第１本体側接点６４および第１放電ユニット側接点６０を介してストリーマ放電ユニット６に放電電圧を供給する。なお、ストリーマ放電ユニット６には、５０００Ｖ以上、１ｍＡ未満の電力が供給される。第１本体側接点６４は、細長い金属板が屈曲されて形成されており、放電ユニット収容部Ｂの内壁面から突出する第１固定部６６の上面に取り付けられている。第１本体側接点６４は、前後方向に平行であり第１固定部６６に固定される直線部６７と、直線部６７の前端において後方に折り返されており上に凸の形状を有する第１凸状湾曲部６８とを有している。第１凸状湾曲部６８の先端は固定されておらず解放されており、第１本体側接点６４は弾性変形可能となっている。
【００４８】
第２本体側接点６５は、第２放電ユニット側接点６２と接触する接点であり、第２本体側接点６５および第２放電ユニット側接点６２を介してストリーマ放電ユニット６の接地電極１２と空気調和機本体３の電源回路の接地側とが電気的に接続される。なお、第２本体側接点６５は、第１本体側接点６４に対して前後方向に距離を隔てて配置されている。第２本体側接点６５は、細長い金属板が屈曲されて形成されており、放電ユニット収容部Ｂの内壁面から突出する第２固定部６９の下面に取り付けられている。第２本体側接点６５は、前後方向に平行であり第２固定部６９に固定される直線部７０と、直線部７０の前端において後方に折り返されており下に凸の形状を有する第２凸状湾曲部７１とを有している。第２凸状湾曲部７１の先端は固定されておらず解放されており、第２本体側接点６５は弾性変形可能となっている。
【００４９】
〔レール部６３〕
レール部６３は、放電ユニット収容部Ｂの内壁面（図９における左側の内側面）から側方に突出し、前後方向に沿って設けられている。レール部６３は、上レール部７２および下レール部７３を有する。図１０に示すように、上レール部７２は第１本体側接点６４および第２本体側接点６５よりも上方に設けられており、ストリーマ放電ユニット６が放電ユニット収容部Ｂに挿入される際および放電ユニット収容部Ｂから引き出される際に、第１保護部５８と接触して第１保護部５８を案内する。下レール部７３は第１本体側接点６４および第２本体側接点６５よりも下方に設けられており、ストリーマ放電ユニット６が放電ユニット収容部Ｂに挿入される際および放電ユニット収容部Ｂから引き出される際に、第２保護部５９と接触して第２保護部５９を案内する。上レール部７２と下レール部７３の大部分は、前後方向に平行に設けられており、ストリーマ放電ユニット６を前後方向に案内するように構成されているが、上レール部７２と下レール部７３と前端部は、上レール部７２と下レール部７３との間の上下方向の距離が前側ほど拡大するように屈曲しており、ストリーマ放電ユニット６が挿入し易くされている。
【００５０】
なお、放電ユニット収容部Ｂの後端部には、プラズマ触媒フィルタ４４を通過した後に本流から分岐してストリーマ放電ユニット６に供給される空気が通る開口７４が設けられている。また、放電ユニット収容部Ｂの下面には、プレフィルタ４１の上流側に繋がるダクトに連通する開口７５が設けられており、ストリーマ放電ユニット６において生成された活性種を含む空気は、この開口７５を通ってプレフィルタ４１の上流側に供給される。
【００５１】
＜ストリーマ放電ユニット６の空気調和機本体３への取付＞
次に、ストリーマ放電ユニット６を空気調和機本体３へ取り付ける際の動作について、主として図１０に基づいて説明する。なお、図１０では、理解の容易のため、ストリーマ放電ユニット６のうち第１保護部５８、第１放電ユニット側接点６０、第２保護部５９、第２放電ユニット側接点６２のみを図示し、他の部分は省略している。
【００５２】
ストリーマ放電ユニット６を放電ユニット収容部Ｂに挿入すると、まず、ストリーマ放電ユニット６の第１保護部５８および第１放電ユニット側接点６０が、上レール部７２と第２固定部６９との間を通り、上レール部７２に案内されて後方へと進む。上レール部７２と第１本体側接点６４の第１凸状湾曲部６８との間の距離は、第１保護部５８および第１放電ユニット側接点６０の厚さ（ここでは上下方向の寸法）よりも小さいため、第１保護部５８および第１放電ユニット側接点６０がさらに後方に進むことにより、第１放電ユニット側接点６０と第１凸状湾曲部６８とが接触する。そして、第１保護部５８および第１放電ユニット側接点６０がさらに後方に移動すると、第１放電ユニット側接点６０は第１凸状湾曲部６８に対して摺動すると共に、第１凸状湾曲部６８を下方へ押し下げて弾性変形させる。第１放電ユニット側接点６０が第１凸状湾曲部６８の頂点に接触する位置まで進むと、ストリーマ放電ユニット６の支持部材１３の一部が空気調和機本体３側のストッパー（図示せず）に当接して後方への移動が規制される。
【００５３】
なお、第１保護部５８および第１放電ユニット側接点６０が第１本体側接点６４に近づいた時には、それと同時に、第２保護部５９が下レール部７３によって案内され、第２保護部５９および第２放電ユニット側接点６２が第２本体側接点６５に近づく。第１本体側接点６４の頂点と第２本体側接点６５の頂点との前後方向距離は、第１放電ユニット側接点６０と第２放電ユニット側接点６２との距離を概ね同じであるため、第１放電ユニット側接点６０が第１本体側接点６４の第１凸状湾曲部６８と接触するのとほぼ同時に第２放電ユニット側接点６２が第２本体側接点６５の第２凸状湾曲部７１に接触する。そして、第２放電ユニット側接点６２は第２凸状湾曲部７１に対して摺動すると共に、第２凸状湾曲部７１を上方へ押し上げて弾性変形させ、第２凸状湾曲部７１の頂点に接触する位置まで進む。
【００５４】
このように、ストリーマ放電ユニット６が放電ユニット収容部Ｂに収容された状態では、第１放電ユニット側接点６０が第１本体側接点６４を押し下げて弾性変形させているため、第１本体側接点６４は第１放電ユニット側接点６０に圧接している。また、第２本体側接点６５も同様に第２放電ユニット側接点６２に圧接している。さらに、第１放電ユニット側接点６０は、上述したように下に凸の円弧状断面を有するため、第１本体側接点６４と線接触している。また、第２放電ユニット側接点６２も同様に第２本体側接点６５と線接触している。
【００５５】
以上のようにして、ストリーマ放電ユニット６が放電ユニット収容部Ｂに収容され、空気調和機本体３に取り付けられる。これにより、ストリーマ放電ユニット６に放電電圧が供給され、ストリーマ放電が生起される。
【００５６】
＜空気調和機１による空気清浄作用＞
この空気調和機１は、吸込み口５から吸い込まれた室内の空気中に含まれる異物を上述した各種のフィルタにおいて空気中から除去して空気を清浄化し、清浄化された空気を吹出し口から吹き出す。上述したストリーマ放電ユニット６による清浄化作用もその１つである。以下、空気調和機１による空気清浄作用について図２に基づいて説明する。
【００５７】
吸込み口５から吸い込まれた室内の空気は、まずプレフィルタ４１を通る。この際、比較的大きなホコリや塵が空気中から除去される。また、プレフィルタ４１に含まれる光触媒とカテキンとの作用により、プレフィルタ４１に付着した塵埃などに含まれるカビ菌や細菌などの菌やウィルスの繁殖が抑制され、ウィルスが不活化される。
【００５８】
プレフィルタ４１を通過した空気流は、プラズマイオン化部４２に送られ、プラズマイオン化部４２を通過する空気流に含まれる塵埃等がプラス電荷に帯電する。
【００５９】
次に、空気流が光触媒フィルタ４３を通過すると、静電フィルタ４５によって、プラズマイオン化部４２を通過する際に帯電させられた塵埃などが吸着される。また、チタンアパタイト担持フィルタによって、静電フィルタ４５を通過した塵埃などが吸着される。この際、チタンアパタイトは、ストリーマ放電ユニット６から供給された活性種により光触媒機能が活性化されており、ウィルスやカビ菌、細菌などを不活化または死滅させる。
【００６０】
光触媒フィルタ４３を通過した空気流は、プラズマ触媒フィルタ４４を通過する。プラズマ触媒フィルタ４４では、光触媒フィルタ４３に吸着されなかった空気中のウィルスや菌などが吸着され、菌やウィルスなどが活性種により活性化された二酸化チタンによって死滅あるいは不活化される。
【００６１】
プラズマ触媒フィルタ４４を通過した空気流は、吹出し口から室内へと吹き出される。
【００６２】
また、プラズマ触媒フィルタ４４を通過した空気のうちの一部は、ストリーマ放電ユニット６に供給される。ストリーマ放電ユニット６では、ストリーマ放電により放電場に低温プラズマが生成され、活性種が空気流中に放出される。ストリーマ放電ユニット６を通過した空気は、プレフィルタ４１の上流側に供給され、活性種をプレフィルタ４１の上流側に搬送する。
【００６３】
＜空気調和機１の特徴＞
（１）
この空気調和機１では、第１導電体１４が第１放電電極支持部１９の内部に設けられており、放電電極１１と第１本体側接点６４とを電気的に接続している。また、第２導電体１５が第１接地電極支持部２１の内部に設けられており、接地電極１２と第２本体側接点６５とを電気的に接続している。このため、第１放電電極支持部１９と第１接地電極支持部２１との間の絶縁性が向上している。また、第１放電電極支持部１９、第２放電電極支持部２０、第１接地電極支持部２１、第２接地電極支持部２２の中で第１放電電極支持部１９と第１接地電極支持部２１とに第１導電体１４と第２導電体１５とが設けられており、できるだけ距離が離れるように第１導電体１４と第２導電体１５が配置されている。このため、絶縁性がさらに向上している。これにより、沿面距離を長くするために、第１放電電極支持部１９、第２放電電極支持部２０、第１接地電極支持部２１、第２接地電極支持部２２を複雑な形状とする必要がなく、上述したようなボス状の簡素な形状にすることができる。
【００６４】
また、第１放電電極支持部１９の内部に第１導電体１４が設けられ、第１接地電極支持部２１に第２導電体１５が設けられるため、支持部材１３の途中からの漏れ電流の発生が防止されている。
【００６５】
（２）
この空気調和機１では、上述したように、第１放電電極支持部１９、第２放電電極支持部２０、第１接地電極支持部２１、第２接地電極支持部２２を簡素な形状にすることができるため、ストリーマ放電ユニット６を小型化することができる。
【００６６】
（３）
この空気調和機１では、第１放電電極支持部１９、第２放電電極支持部２０、第１接地電極支持部２１、第２接地電極支持部２２は、全て本体部１８の側面部２４から同一方向に延びており、放電電極１１と接地電極１２との離間方向に平行な方向に延びている。このため、放電電極１１と接地電極１２との間の離間距離Ｄ１の精度を向上させることができる。
【００６７】
（４）
この空気調和機１では、上述したように絶縁性が向上しており、且つ、第１放電電極支持部１９、第２放電電極支持部２０、第１接地電極支持部２１、第２接地電極支持部２２がボス状の簡素な形状となっている。従って、放電電極１１および接地電極１２を安定的に支持することができ、放電電極１１および接地電極１２をネジ止めによって支持部材１３に容易に固定することができる。これにより、ストリーマ放電ユニット６の組立性が向上している。
【００６８】
（５）
この空気調和機１では、ストリーマ放電ユニット６の空気調和機本体３への装着動作が繰り返される度に、第１放電ユニット側接点６０と第１本体側接点６４とが擦れ合い、第２放電ユニット側接点６２と第２本体側接点６５とが擦れ合う。これにより、各接点の表面を自動的にクリーニングすることができ、接点を安定して接触させることができる。
【００６９】
また、第１放電ユニット側接点６０と第１本体側接点６４との接触および第２放電ユニット側接点６２と第２本体側接点６５との接触は点接触であるので、接点同士の摺動が繰り返されても、カジリの発生を抑えることができる。このため、ストリーマ放電ユニット６の装着時や取り外し時において、カジリによる操作感のバラツキの発生を抑えることができる。
【００７０】
さらに、第１放電ユニット側接点６０と第１本体側接点６４との接触および第２放電ユニット側接点６２と第２本体側接点６５との接触は点接触となっているが、第１本体側接点６４および第２本体側接点６５の変形部位が大きく確保されており、且つ、接点同士が圧接するため、安定的に接点を接触させることができる。
【００７１】
＜他の実施形態＞
（ａ）
ストリーマ放電ユニット６に供給される電力は上記のものに限られず、ストリーマ放電の生起に必要な電力であればよい。例えば、６００Ｖ以上、１Ａ未満の電力が供給されてもよい。
【００７２】
（ｂ）
上記の実施形態では、第１本体側接点６４と第２本体側接点６５とが弾性変形可能な形状とされているが、第１放電ユニット側接点６０と第２放電ユニット側接点６２とが弾性変形可能な形状とされてもよく、また、第１本体側接点６４および第２本体側接点６５と、第１放電ユニット側接点６０および第２放電ユニット側接点６２との両方が弾性変形可能な形状とされてもよい。
【００７３】
（ｃ）
上記の実施形態では、第１本体側接点６４および第２本体側接点６５、第１放電ユニット側接点６０および第２放電ユニット側接点６２は、前後方向に距離を隔てて配置されているが、これらの接点の配置は上記のものに限られない。
【００７４】
（ｄ）
上記の実施形態では、第１保護部５８および第２保護部５９は板状の形状を有しているが、第１保護部５８および第２保護部５９の形状はこれに限られず、使用者の手が触れ難くなる形状であればよい。
【００７５】
（ｅ）
上記の実施形態では、空気調和機１は床置き型の空気清浄機であるが、他の設置形態の空気清浄機に本発明が適用されてもよい。
【００７６】
また。空気清浄専用機に限らず、冷暖房機能と共に空気清浄機能を有する空気調和機に本発明が適用されてもよい。
【００７７】
（ｆ）
上記の実施形態では、プラズマの一種であるストリーマ放電を生起させるストリーマ放電ユニット６に対して本発明が適用されているが、空気清浄機能を有する他のプラズマ放電が生起されてもよい。
【産業上の利用可能性】
【００７８】
本発明は、放電ユニットに安定して電力を供給することができる効果を有し、空気調和機として有用である。
【図面の簡単な説明】
【００７９】
【図１】空気調和機の外観斜視図。
【図２】空気調和機の内部構成を示す模式図。
【図３】前面パネルが取り外された空気調和機の外観斜視図。
【図４】ストリーマ放電ユニットの外観斜視図。
【図５】ストリーマ放電ユニットの上面図。
【図６】ストリーマ放電ユニットの右側面図。
【図７】ストリーマ放電ユニットの左側面図。
【図８】支持部材の外観斜視図。
【図９】放電ユニット収容部の開口近傍の拡大図。
【図１０】放電ユニット収容部の側面断面図。
【図１１】第２本体側接点近傍の拡大図。
【符号の説明】
【００８０】
１        空気調和機
３        空気調和機本体
６        ストリーマ放電ユニット（放電ユニット）
５８      第１保護部（保護部）
６０      第１放電ユニット側接点
６２      第２放電ユニット側接点
６３      レール部
６４      第１本体側接点
６５      第２本体側接点
６８      第１凸状湾曲部
７１      第２凸状湾曲部
Ｂ        放電ユニット収容部
【図１】
2008030000.tif 000003
【図２】
2008030000.tif 000004
【図３】
2008030000.tif 000005
【図４】
2008030000.tif 000006
【図５】
2008030000.tif 000007
【図６】
2008030000.tif 000008
【図７】
2008030000.tif 000009
【図８】
2008030000.tif 000010
【図９】
2008030000.tif 000011
【図１０】
2008030000.tif 000012
【図１１】
2008030000.tif 000013